(57)【要約】【課題】テレビ放送などの放送信号に同期してコンテンツを印刷するシステムにおいて、予め印刷するコンテンツをコンテンツサーバから取得しておき、放送受信時に放送信号に含まれる所定の情報にしたがってコンテンツを印刷することによりコンテンツが従来放送信号には重畳できなかったような大量の印刷データであっても放送に同期して印刷できるようにする。また、ＥＰＧによる視聴予約に連動してコンテンツを取得することにより、より利便性の高い印刷装置を提供する。【解決手段】コンテンツ情報を供給する手段と供給されたコンテンツ情報に基づきコンテンツサーバから所定のコンテンツを取得する手段と、取得したコンテンツを記憶する記憶手段と放送信号を受信する手段と、受信した放送信号に含まれる所定のデータを検出する手段と、検出手段により検出した所定のデータに基づいて記憶手段に記憶しているコンテンツを記録紙上に印刷する印刷手段とを備える。【選択図】        図１
2004336463.tif 000002
【特許請求の範囲】
【請求項１】
放送信号に含まれる所定のデータに基づいてコンテンツを印刷する印刷装置であって、
コンテンツ情報を供給する供給手段と、
前記供給手段により供給されたコンテンツ情報に基づき、インターネット上のコンテンツサーバから所定のコンテンツを取得するコンテンツ取得手段と、
前記コンテンツ取得手段により取得したコンテンツを記憶する記憶手段と、
前記放送信号を受信する受信手段と、
前記受信手段により受信した放送信号に含まれる所定のデータを検出する検出手段と、
前記検出手段により検出した所定のデータに基づいて前記記憶手段に記憶しているコンテンツを記録紙上に印刷する印刷手段とを備えることを特徴とする印刷装置。
【請求項２】
前記所定のデータは、印刷するコンテンツを指定するコンテンツ指定情報を含むことを特徴とする請求項１記載の印刷装置。
【請求項３】
前記供給手段は、パネルから入力されたコンテンツ情報を前記コンテンツ取得手段に供給することを特徴とする請求項１、２記載の印刷装置。
【請求項４】
ＥＰＧ（Ｅｌｅｃｔｒｉｃ  Ｐｒｏｇｒａｍ  Ｇｕｉｄｅ）を受信する受信手段をさらに備え、
前記供給手段は、前記受信手段により受信したＥＰＧに含まれるコンテンツ情報を前記コンテンツ取得手段に供給することを特徴とする請求項１、２記載の印刷装置。
【請求項５】
ＥＰＧ（Ｅｌｅｃｔｒｉｃ  Ｐｒｏｇｒａｍ  Ｇｕｉｄｅ）を受信する第一の受信手段と、
前記第一の受信手段により受信したＥＰＧに基づいて所望の放送番組の受信を予約する予約手段と、
前記予約手段により放送番組の視聴予約が行われた時点で、前記ＥＰＧに含まれる前記予約した放送番組のコンテンツ情報に基づき、インターネット上のコンテンツサーバから所定のコンテンツを取得するコンテンツ取得手段と、
前記コンテンツ取得手段により取得したコンテンツを記憶する記憶手段と、
前記予約手段により予約した番組を受信する第二の受信手段と、
前記第二の受信手段により受信した放送信号に含まれるコンテンツ指定情報を検出する検出手段と、
前記検出手段により検出したコンテンツ指定情報に基づいて前記記憶手段に記憶しているコンテンツを記録紙上に印刷する印刷手段とを備えることを特徴とする印刷装置。
【請求項６】
前記コンテンツはＰＤＬデータであって、ＰＤＬデータをビットマップ画像に展開する展開手段を備え、前記コンテンツ取得手段により取得したコンテンツを前記展開手段によりビットマップ画像に展開してから前記記憶手段に記憶することを特徴とする請求項１から５記載の印刷装置。
【発明の詳細な説明】
【０００１】
【発明の属する技術分野】
本発明は、印刷方法及びその装置に関し、特に、放送信号に同期してコンテンツを印刷する印刷方法及びその装置に関するものである。
【０００２】
【従来の技術】
従来、文字多重放送やデータ放送など、放送信号に文字・画像などのコンテンツを重畳して放送し、受信装置側で受信したコンテンツを接続するモニタ上に表示したりプリンタで印刷したりする装置が考案されている。
【０００３】
また、コンテンツを放送に同期して印刷する方法として、例えば、コンテンツを印刷するタイミングをより明示的にするために、放送信号にコンテンツと該コンテンツを印刷することを要求する信号を付加する放送信号生成装置が考案されている（特開２００１−１４５０４９）。
【０００４】
また、コンテンツとしてＩｎｔｅｒｎｅｔ関連の情報、例えばＷｅｂ情報を重畳して放送することにより、受信側で受信したＷｅｂ情報に基づいてＷＷＷサーバにアクセスしてコンテンツを取得する装置が考案されている（特開平１０−０５１７５２）。
【０００５】
【発明が解決しようとする課題】
ところで、このような多重放送を受信してコンテンツを表示・印刷するシステムにおいて、放送に重畳されるコンテンツが単にモニタ上に表示するためのコンテンツである場合、また、モニタに表示している画像をそのままキャプチャーして印刷するような場合には、コンテンツの内容によってそれほど重畳するデータ量が増えることはないが、印刷に特化したコンテンツ、例えばＰＤＬデータである場合には、一般的にコンテンツの内容が詳細で複雑になればなるほどデータ量は増す。また同じコンテンツの内容でも、より高精細な（例えば高解像度、高階調の）印刷結果を得ようとすればそれだけデータ量は増す。
【０００６】
しかしながら、放送に同期して次々とコンテンツを印刷していく場合に、一定時間の放送信号に重畳可能なデータ量には限りがあるため、コンテンツとしてあまり大量の印刷データを重畳することはできなかった。
【０００７】
また、重畳されるコンテンツによっては、印刷装置側の処理、特にビットマップ画像への展開時間に非常に時間がかかり、次のコンテンツの印刷が滞り、結果として放送に同期して次々と印刷結果を得ることができない場合もあった。
【０００８】
多重放送の利点の一つには、放送を視聴しながら、同時に関連するコンテンツを表示したり印刷したりできることにあるので、例えば、印刷処理が滞り、放送中のあるシーンに同期して印刷結果が得られないばかりか、放送が終わってもまだ印刷が終わらないような事態は、利便性が大きく損なわれるため、どうしても回避する必要があった。
【０００９】
一方、コンテンツとしてＷｅｂ情報を重畳する場合は、Ｗｅｂ情報自体はさほどデータ量は大きくないので、重畳する上では特に問題はないが、そもそも、Ｗｅｂ情報を重畳する場合は、このＷｅｂ情報をもとに一旦ＰＣのＷｅｂブラウザ等にサーバから取得したコンテンツを表示し、さらに表示されているコンテンツを印刷する場合には、別途プリンタドライバ等から印刷指示を行うというステップを踏むので、放送に同期して印刷するということまでは考慮されていない。
【００１０】
本発明は上記問題点に鑑みてなされたものであり、その目的とするところは、放送信号に含まれる所定のデータに基づいてコンテンツを印刷する印刷装置において、予め印刷するコンテンツのコンテンツ情報を供給し、供給されたコンテンツ情報に基づきネットワーク上のコンテンツサーバからコンテンツ取得して記憶しておき、放送受信時に、放送信号に含まれる所定のデータに基づいて前記記憶しているコンテンツを印刷することにより、コンテンツのデータ量によらず、放送に同期した速やかなコンテンツの印刷を実現することにある。
【００１１】
【課題を解決するための手段】
上記目的を達成するために請求項１記載の印刷装置は、放送信号に含まれる所定のデータに基づいてコンテンツを印刷する印刷装置であって、コンテンツ情報を供給する供給手段と、前記供給手段により供給されたコンテンツ情報に基づき、インターネット上のコンテンツサーバから所定のコンテンツを取得するコンテンツ取得手段と、前記コンテンツ取得手段により取得したコンテンツを記憶する記憶手段と、前記放送信号を受信する受信手段と、前記受信手段により受信した放送信号に含まれる所定のデータを検出する検出手段と、前記検出手段により検出した所定のデータに基づいて前記記憶手段に記憶しているコンテンツを記録紙上に印刷する印刷手段とを備えることを特徴とする。
【００１２】
さらに、前記所定のデータには、印刷するコンテンツを指定するコンテンツ指定情報を含めても良い。
【００１３】
さらに、前記供給手段は、パネルから入力されたコンテンツ情報を前記コンテンツ取得手段に供給するようにしても良い。
【００１４】
さらに、ＥＰＧ（Ｅｌｅｃｔｒｉｃ  Ｐｒｏｇｒａｍ  Ｇｕｉｄｅ）を受信する受信手段を備え、前記供給手段は、前記受信手段により受信したＥＰＧに含まれるコンテンツ情報を前記コンテンツ取得手段に供給するようにしても良い。
【００１５】
また、請求項５記載の印刷装置は、ＥＰＧ（Ｅｌｅｃｔｒｉｃ  Ｐｒｏｇｒａｍ  Ｇｕｉｄｅ）を受信する第一の受信手段と、前記第一の受信手段により受信したＥＰＧに基づいて所望の放送番組の受信を予約する予約手段と、前記予約手段により放送番組の視聴予約が行われた時点で、前記ＥＰＧに含まれる前記予約した放送番組のコンテンツ情報に基づき、インターネット上のコンテンツサーバから所定のコンテンツを取得するコンテンツ取得手段と、前記コンテンツ取得手段により取得したコンテンツを記憶する記憶手段と、前記予約手段により予約した番組を受信する第二の受信手段と、前記第二の受信手段により受信した放送信号に含まれるコンテンツ指定情報を検出する検出手段と、前記検出手段により検出したコンテンツ指定情報に基づいて前記記憶手段に記憶しているコンテンツを記録紙上に印刷する印刷手段とを備えることを特徴とする。
【００１６】
また、請求項６記載の印刷装置は、前記コンテンツがＰＤＬデータである場合に、ＰＤＬデータをビットマップ画像に展開する展開手段を備え、前記コンテンツ取得手段により取得したコンテンツを前記展開手段によりビットマップ画像に展開してから前記記憶手段に記憶することを特徴とする。
【００１７】
【発明の実施の形態】
［印刷システムの例］
以下に、図面を参照して本発明を詳細に説明する。
【００１８】
図１は、本発明のシステム全体の一例を示し、後述する第１、第２、第３の実施形態に共通のものである。
【００１９】
放送局１は、放送信号２によって、変調されたアナログ映像音声信号を送信するとともに、所定のデータを送信する。
【００２０】
印刷システムは、全体として、アンテナ３、受信装置４、モニタ５、プリンタコントローラ６、記憶装置７、プリンタ８を備え、放送局１からの変調されたアナログ映像音声信号およびデータは、アンテナ３で受信されて、受信装置４内のチューナで選局される。
【００２１】
受信装置４は、受信した映像信号および音声信号をモニタ５に出力する。また、所定のデータに基づきプリンタコントローラ６に印刷指示を出力する。
【００２２】
プリンタコントローラ６は、インターネット１０に接続し、インターネット上のコンテンツサーバ１１から所定のコンテンツを取得し、取得したコンテンツを記憶装置７に格納する。
【００２３】
なお、コンテンツサーバ１１には、放送局が放送する番組に関連した様々なコンテンツが格納されている。
【００２４】
プリンタコントローラ６は、受信装置４から印刷指示を入力すると、記憶装置７に格納している所定のコンテンツを取り出し、接続するプリンタ８にビットマップ画像を出力する。
【００２５】
プリンタ８は、プリンタコントローラ６から受け取ったビットマップ画像を記録紙９に印字する。
【００２６】
［第１の実施形態］
（受信装置の構成）
図２は、第１の実施形態における受信装置４のハード構成の概要を示すブロック図である。
【００２７】
図示するように、受信装置４は、アナログ復調部４１、映像音声出力部４７および、ＣＰＵ４８のＣＰＵバス５１上に接続する、チューナ４２、データ検出部４３、リモコン受信部４４、プリンタコントローラ・インターフェース（Ｉ／Ｆ）部４６、ＲＯＭ４９、ＲＡＭ５０を備える。
【００２８】
チューナ４１は、アンテナ３から供給される信号の中から選局された放送信号を取り出し、アナログ復調部４２およびデータ検出部４３に出力する。
【００２９】
アナログ復調部４２は、チューナ４１から入力される変調されたアナログ映像音声信号を復調し、復調したアナログ映像音声信号を映像音声出力部４７に出力する。
【００３０】
映像音声出力部４７は、入力されたアナログ映像音声信号をモニタ５に出力し、モニタ５に映像が表示され音声が出力される。
【００３１】
データ検出部４３は、チューナ４２から入力した放送信号に含まれる所定のデータを検出してＣＰＵバス５１上に出力する。ＣＰＵ４８は、検出された所定のデータが印刷指示を含むデータである場合には、プリンタコントローラＩ／Ｆ部４６を介してプリンタコントローラ６に送信する。
【００３２】
リモコン４５は、受信装置４を制御するもので、電源操作や選局操作が可能なキーを備え、ユーザによる操作指示を赤外線により受信装置４に送信する。
【００３３】
リモコン受信部４４は、リモコン４５から送信される赤外線を受信して、電源操作や選局操作の指示をＣＰＵバス５１上に出力する。
【００３４】
ＣＰＵ４８は、ＲＯＭ４９に格納された制御プログラムに従って、受信装置４の各部を制御する。
【００３５】
ＲＡＭ５０は、データ検出部４３やリモコン受信部４４から出力されるデータを格納したり、ＣＰＵ４８の作業領域として使用されるメモリである。
【００３６】
（プリンタコントローラの構成）
図３は、第１の実施形態におけるプリンタコントローラ６のハード構成の概要を示すブロック図である。
【００３７】
図示するように、プリンタコントローラ６は、ＣＰＵ６７のＣＰＵバス７０上に、受信装置インターフェース（Ｉ／Ｆ）部６１、ネットワーク・インターフェース（Ｉ／Ｆ）部６２、ハードディスク７、バッファメモリ６３、プリンタ・インターフェース（Ｉ／Ｆ）部６４、パネル・インターフェース（Ｉ／Ｆ）部６５、ＲＯＭ６８、ＲＡＭ６９が接続されている。
【００３８】
受信装置Ｉ／Ｆ部６１は、受信装置４から送信される印刷指示を含んだデータを入力し、ＣＰＵバス７０上に出力する。
【００３９】
ネットワークＩ／Ｆ部６２は、インターネットに接続するコンテンツサーバにアクセスし、所定のコンテンツを取得する。
【００４０】
ハードディスク（ＨＤ）７は、コンテンツサーバから取得したコンテンツを格納する。
【００４１】
バッファメモリ６３は、コンテンツをビットマップ画像に展開して印刷する際に使用される一時的なメモリである。
【００４２】
プリンタＩ／Ｆ部６４は、プリンタコントローラ６で展開した画像をプリンタ部８に出力して印刷する際に、画像データや制御データのやり取りを行う。
【００４３】
パネルＩ／Ｆ部６５は、パネル６６から入力されたコンテンツ情報をＣＰＵバス７０上に出力する。
【００４４】
図４は、第１の実施形態におけるプリンタコントローラ６の機能構成を示すブロック図である。
【００４５】
コンテンツ情報設定部６０１は、コンテンツ情報を供給するための処理部で、ユーザがパネル６６から入力したコンテンツ情報をコンテンツ取得部６０２に供給する。
【００４６】
コンテンツ取得手段６０２は、コンテンツ情報設定部６０１から供給されたコンテンツ情報をもとに、インターネット上のコンテンツサーバにアクセスしコンテンツ６０３を取得する。取得したコンテンツ６０３は、ハードディスク７に記憶する。また、後述のコンテンツ管理テーブル６０４の情報を更新する。
【００４７】
印刷指示情報解析部６０５は、受信装置４から印刷指示情報が入力されると起動し、入力したデータで示されるコンテンツを記憶しているかどうかをコンテンツ管理テーブル６０４を参照して確認し、記憶している場合には、該コンテンツを印刷するように印刷処理部６０６に指示する。
【００４８】
印刷処理部６０６は、印刷指示情報解析部６０５の指示に基づき、ハードディスク７に記憶しているコンテンツをビットマップ画像に展開し、プリンタ部８に出力して印刷を行う。
【００４９】
このように、プリンタコントローラ６は、コンテンツ情報を入力してコンテンツサーバからコンテンツを取得する処理と、受信装置４から入力される印刷指示情報に基づいて所定のコンテンツを印刷する処理を行う。
【００５０】
（コンテンツ取得処理）
次に、このプリンタコントローラ６におけるコンテンツ取得時の処理を、図９のフローチャートを用いて説明する。
【００５１】
まず、パネル６６よりコンテンツ情報が入力されると、コンテンツ情報設定部６０１が入力されたコンテンツ情報をコンテンツ取得部６０２に通知する（ステップＳ９０１）。
【００５２】
ここで、本実施形態におけるコンテンツ情報の例を図５に示す。
【００５３】
図示するとおり、本実施形態においては、コンテンツ情報として、コンテンツが格納されているインターネット上のコンテンツサーバ１１のアドレスおよび所定のファイル（コンテンツ・インデックス・ファイル）を示す情報を供給する。
【００５４】
また、コンテンツ・インデックス・ファイルは図６に示すとおり、コンテンツの識別番号（ＣｏｎｔｅｎｔＩＤ）とコンテンツのファイル名（Ｃｏｎｔｅｎｔ）の一覧が記載されたファイルで、例えば、ある放送プログラムに同期して印刷する一連のコンテンツのリストが記載されている。プリンタコントローラ６は、このファイルを取得して解析することにより、実際に取得するコンテンツを特定する。
【００５５】
なお、コンテンツ・インデックス・ファイルを使用することにより、装置側でこれに基づいて自動的に一連のコンテンツを取得するので、ユーザがパネルから個々のコンテンツのファイル名まで入力しなくて済むという利点がある。
【００５６】
再び図９のフローに戻って説明する。
【００５７】
コンテンツ取得部６０２は、入力されたコンテンツ情報に基づいてインターネット上のコンテンツサーバ１１にアクセスし、コンテンツ・インデックス・ファイルを取得する（ステップＳ９０２）。
【００５８】
続いて、取得したコンテンツ・インデックス・ファイルを解析して、これから取得する一連のコンテンツの識別番号とファイル名を取得する（ステップＳ９０３）。
【００５９】
次に、取得したファイル名にしたがって、コンテンツを順次コンテンツサーバ１１から取得する（ステップＳ９０４）。
【００６０】
コンテンツを取得すると、取得したコンテンツをハードディスク７に格納するとともに、コンテンツ管理テーブル６０４の情報を更新する。
【００６１】
図７にコンテンツ管理テーブル６０４の例を示す。
【００６２】
コンテンツ管理テーブル６０４は、取得したコンテンツを管理するためのテーブルで、コンテンツの識別番号（ＣｏｎｔｅｎｔＩＤ）、コンテンツのファイル名（Ｃｏｎｔｅｎｔ）および、ハードディスク７上の格納先のアドレス（Ａｄｄｒｅｓｓ）からなる。
【００６３】
一つのコンテンツを取得し終えると、続いてコンテンツ・インデックス・ファイルに記載された全てのコンテンツを取得したか否かを判定し、まだ取得するコンテンツがある場合には再びステップＳ９０４に戻って次のコンテンツを取得する（ステップＳ９０５）。
【００６４】
全てのコンテンツを取得し終えると一連の処理を終了する。
【００６５】
（コンテンツ印刷処理）
次に、コンテンツ印刷時の処理について詳細に説明する。
【００６６】
図８は、ある放送番組（Ｃｈ．１００  （公序良俗違反につき不掲載）−ＴＶ／テレフォンショッピング）の放送の流れと、これに同期して付加される印刷指示情報との関係を示した図である。
【００６７】
図示するとおり、放送中の所定のシーンに同期して印刷指示情報が付加されている。なお、印刷指示情報は、そのとき印刷すべきコンテンツの識別番号（Ｃ１００１、Ｃ１００２、Ｃ１００３）を示している。
【００６８】
受信装置４は、放送中にこれら印刷指示情報を検出すると、その都度プリンタコントローラ６にその印刷指示情報を通知する。
【００６９】
図１０は、このプリンタコントローラ６におけるコンテンツ印刷時の処理の流れを示したフローチャートである。
【００７０】
まず、受信装置４から印刷指示情報が入力されるのを待機し（ステップＳ１００１）、印刷指示情報が入力されると、印刷指示情報解析部６０５でこれを解析し、指定された印刷指示情報、すなわちコンテンツ識別番号が、コンテンツ管理テーブル６０４にあるか否かを判定する（ステップＳ１００２）。
【００７１】
コンテンツ管理テーブル６０４に該当するコンテンツ識別番号が無い場合には、印刷すべきコンテンツは無いため、再びステップＳ１００１に戻って、次の印刷指示情報が入力されるのを待機する。
【００７２】
コンテンツ管理テーブル６０４に該当するコンテンツ識別番号が見つかった場合には、該コンテンツが格納されているハードディスク７上のアドレス情報を印刷処理部６０６に通知する（ステップＳ１００３）。
【００７３】
印刷処理部６０６は通知されたアドレス情報をもとにハードディスク７からコンテンツを読み出し、ビットマップ画像に展開する（ステップＳ１００４）。
【００７４】
続いて、展開したビットマップ画像をプリンタ８に出力して印刷を行う（ステップＳ１００５）。
【００７５】
プリンタ８で正常に印刷が終了しなかった場合には、所定のエラー処理を行った後（ステップＳ１００７）、再びステップＳ１００５に戻って該ビットマップ画像をプリンタ８に出力する。
【００７６】
プリンタ８で正常に印刷を終えた場合には、ステップＳ１００８に移行し、印刷し終えたコンテンツをハードディスク７から削除するとともに、コンテンツ管理テーブル６０４の該コンテンツの情報を削除する（ステップＳ１００８）。
【００７７】
コンテンツの印刷を終えると、再びステップＳ１００１に戻って、受信装置４から印刷指示情報が入力されるのを待機する。
【００７８】
（効果）
上述した第１の実施形態によれば、放送に同期して印刷するコンテンツを予めインターネット上のコンテンツサーバから取得して記憶しておき、放送受信時に、放送信号に含まれる印刷指示情報にしたがって記憶しているコンテンツを印刷するので、放送信号に印刷するコンテンツ自体を重畳して送信する必要はなく、従来ごく短い時間内の放送信号には重畳できずに印刷できなかったコンテンツであっても、放送に同期して印刷することができる。
【００７９】
［第２の実施形態］
第１の実施形態では、コンテンツ情報を供給する手段として、プリンタコントローラに接続するパネルからユーザが直接入力する手段をとった。
【００８０】
しかしながらこの場合、ユーザは予め所望のコンテンツ情報を調べておかなければならず、また、調べたコンテンツ情報を入力する際、誤った文字列を入力してしまうという事態も招きかねない。
【００８１】
さらにまた、印刷するコンテンツは放送が始まる前に全て取得しておかなければならないため、ユーザはコンテンツ情報の入力してコンテンツを取得する操作を、放送が始まる時間より前に意識して行わなければならない。
【００８２】
そこで、第２の実施形態では、所定の放送プログラムに関連する一連のコンテンツの情報を、放送局からＥＰＧ（Ｅｌｅｃｔｒｉｃ  Ｐｒｏｇｒａｍ  Ｇｕｉｄｅ）データに含ませて送信し、受信装置でこのＥＰＧデータを受信して、ＥＰＧデータに含まれるコンテンツ情報を取得することによりコンテンツ情報を供給する手段をとる。
【００８３】
また、コンテンツ情報を供給するタイミングとして、ユーザがＥＰＧを参照して、所定の放送番組の視聴予約を行った時点で、該放送番組のコンテンツ情報をプリンタコントローラに供給する手段をとる。
【００８４】
（受信装置の構成）
図１１は、第２の実施形態における受信装置４のハード構成の概要を示すブロック図である。なお、第１の実施形態の受信装置と同じブロックは同じ符号で記す。
【００８５】
図示するように、受信装置４は、アナログ復調部４１、映像音声出力部４７および、ＣＰＵ４８のＣＰＵバス５１上に接続する、チューナ４２、データ検出部４３、リモコン受信部４４、プリンタコントローラ・インターフェース（Ｉ／Ｆ）部４６、ＲＯＭ４９、ＲＡＭ５０、データバッファ５２、ＥＰＧ再生部５３、セレクタ５４を備える。
【００８６】
チューナ４１は、アンテナ３から供給される信号の中から選局された放送信号を取り出し、アナログ復調部４２およびデータ検出部４３に出力する。
【００８７】
アナログ復調部４２は、チューナ４１から入力される変調されたアナログ映像音声信号を復調し、復調したアナログ映像音声信号をセレクタ５４に出力する。
【００８８】
映像音声出力部４７は、セレクタ５４から入力されるアナログ映像音声信号、または映像信号をモニタに出力する。
【００８９】
データ検出部４３は、チューナ４２から入力した放送信号に含まれるデータを検出してＣＰＵバス５１上に出力する。ＣＰＵ４８は、検出されたデータが印刷指示を含むデータである場合には、プリンタコントローラＩ／Ｆ部４６を介してプリンタコントローラ６に送信する。また、検出されたデータがＥＰＧデータである場合には、データバッファ５２に格納する。
【００９０】
リモコン４５は、受信装置４を制御するもので、電源操作や選局操作が可能なキーを備え、操作指示を赤外線により受信装置４に送信する。また、ＥＰＧの参照や視聴予約の操作指示を受信装置４に送信する。
【００９１】
リモコン受信部４４は、リモコン４５から送信される赤外線を受信して、電源操作、選局操作、ＥＰＧの参照、視聴予約などの操作指示をＣＰＵバス５１上に出力する。
【００９２】
ＥＰＧ再生部５３は、ＣＰＵ４８の指示に基づきデータバッファ５２に格納されているＥＰＧデータを映像信号に変換してセレクタ５４に出力する。
【００９３】
セレクタ５４は、ＣＰＵ４８の指示に基づき、アナログ復調部４１から入力されるアナログ映像音声信号（放送信号）、または、ＥＰＧ再生部５３から入力される映像信号（ＥＰＧ再生信号）のいずれかを映像音声出力部４７に出力する。
【００９４】
ＣＰＵ４８は、ＲＯＭ４９に格納された制御プログラムに従って、受信装置４の各部を制御する。
【００９５】
ＲＡＭ５０は、データ検出部４３やリモコン受信部４４から出力されるデータを格納したり、ＣＰＵ４８の作業領域として使用されるメモリである。
【００９６】
（ＥＰＧデータの説明）
ここで、ＥＰＧ（Ｅｌｅｃｔｒｉｃ  Ｐｒｏｇｒａｍ  Ｇｕｉｄｅ）データについて詳細に説明する。
【００９７】
ＥＰＧは、主にユーザが数あるチャンネルの番組の中から見たい番組を選ぶために用いられる電子番組ガイドで、放送局から放送信号に重畳されて送信される。
【００９８】
また、ＥＰＧデータには、現在より数時間から数日分の各チャンネルの各番組に関する情報が含まれているので、ユーザはＥＰＧを参照してこれから放送される番組の中から所望の番組を選択し、受信装置に対して選択した番組の視聴予約を設定しておくといった使い方も可能である。
【００９９】
図１３は、データ検出部４３で検出されデータバッファ５２に格納されるＥＰＧデータの例を示す図である。
【０１００】
図示するとおりＥＰＧデータは、Ｇｕｉｄｅ  Ｄａｔａ部、Ｃｈａｎｎｅｌ  Ｄａｔａ部、Ｐｒｏｇｒａｍ  Ｄａｔａ部から構成される。
【０１０１】
Ｇｕｉｄｅ  Ｄａｔａ部には、現在の日付を示すＤａｔｅ、現在の時刻を示すＴｉｍｅ、チャンネル数を示すＮｕｍｂｅｒ  ｏｆ  Ｃｈａｎｎｅｌ、各チャンネルのＣｈａｎｎｅｌ  Ｄａｔａが格納されているアドレスまでのＣｈａｎｎｎｅｌ  Ｄａｔａ部の先頭からのオフセットを示すＣｈａｎｎｅｌ  Ｏｆｆｓｅｔがチャンネル数分（Ｃｈａｎｎｅｌ１’ｓ  Ｏｆｆｓｅｔ〜ＣｈａｎｎｅｌＮ’ｓ
Ｏｆｆｓｅｔ）配置されている。
【０１０２】
Ｃｈａｎｎｅｌ  Ｄａｔａ部には、チャンネル番号を示すＣｈａｎｎｅｌ  Ｎｏ、放送局の名称を示すＣｈａｎｎｅｌ  Ｎａｍｅ、該放送局の番組数を示すＮｕｍｂｅｒ  ｏｆ  Ｐｒｏｇｒａｍｓ、各番組のＰｒｏｇｒａｍ  Ｄａｔａが格納されているアドレスまでのＰｒｏｇｒａｍ  Ｄａｔａ部の先頭からのオフセットを示すＰｒｏｇｒａｍ  Ｏｆｆｓｅｔが番組数分（Ｐｒｏｇｒａｍ１−１’ｓＯｆｆｓｅｔ〜Ｐｒｏｇｒａｍ１−Ｍ’ｓ  Ｏｆｆｓｅｔ）配置されている。
【０１０３】
Ｐｒｏｇｒａｍ  Ｄａｔａ部には、番組名を示すＰｒｏｇｒａｍ  Ｔｉｔｌｅ、番組の開始時刻を示すＳｔａｒｔ  Ｔｉｍｅ、番組の終了時刻を示すＥｎｄ  Ｔｉｍｅ、番組の内容を説明する記述が含まれるＰｒｏｇｒａｍ  Ｄｅｓｃｒｉｐｔｉｏｎ、番組の放送に同期して印刷するコンテンツの情報を示すＣｏｎｔｅｎｔ  Ｉｎｆｏが配置されている。
【０１０４】
Ｃｏｎｔｅｎｔ  Ｉｎｆｏの例を図１４に示す。
【０１０５】
図示するとおり、Ｃｏｎｔｅｎｔ  Ｉｎｆｏは、コンテンツを識別する識別番号ＣｏｎｔｅｎｔＩＤと、コンテンツが格納されているコンテンツサーバのインターネット上のアドレスおよびコンテンツの場所を示すＣｏｎｔｅｎｔからなるリストで構成される。
【０１０６】
（ＥＰＧの表示と番組視聴予約）
次にＥＰＧの表示とＥＰＧを使った番組視聴予約の処理について、図１５のフローチャートと図１６、図１７の表示例を用いて説明する。
【０１０７】
図１５は、ＥＰＧの表示と受信予約を行う際の受信装置４における処理を示したフローチャートである。
【０１０８】
リモコン４５からＥＰＧの表示操作を行うと、その指示がリモコン受信部４４を介してＣＰＵ４８に入力される。
【０１０９】
ＣＰＵ４８は、ＥＰＧの表示指示を入力すると、まずセレクタ５４をＥＰＧ再生部５３から入力される映像を出力するように切り換える（ステップＳ１５０１）。
【０１１０】
続いて、データバッファ５２に記憶しているＥＰＧデータから、番組ガイドを表示するためのデータを抽出してＥＰＧ再生部５３に出力する（ステップＳ１５０２）。すると、モニタ５上に図１６に示すような番組ガイドが表示される。
【０１１１】
図１６にモニタ５上に表示される番組ガイドの表示例を示す。
【０１１２】
図示するとおり番組ガイド１６０には、現在の日時１６０１と、チャンネル／放送局名１６０２と、各放送局の現在の時刻から所定時間分の番組名、すなわち放送予定のタイムテーブル１６０３と、番組ガイドの表示を終了するための終了ボタン１６０４が表示される。
【０１１３】
なお、表示例では３チャンネル分の現在の時刻から９０分後までの番組名しか表示されていないが、リモコン４５を使って画面上に表示されているカーソル１６０５を移動することによって、その他のチャンネルや、現在の時刻から９０分後以降の番組名もスクロールして表示することができる。
【０１１４】
再び図１５のフローチャートに戻って説明する。
【０１１５】
ステップＳ１５０２で番組ガイド１６０を表示したのち、ユーザの操作待ちとなり、リモコン受信部４４からユーザの操作指示が入力されるのを待機する（ステップＳ１５０３）。
【０１１６】
リモコン４５で現在モニタ５上に表示されているチャンネル以外や時間以外のタイムテーブルを表示するためのスクロール操作を行った場合、リモコン受信部４４からそのスクロール情報が入力され、再びステップＳ１５０２に戻って、指定されたチャンネルや時間のタイムテーブルをＥＰＧデータから抽出しモニタ５上に表示する。
【０１１７】
また、リモコン４５で画面上の終了ボタン１６０４にカーソルを合わせて選択した場合、リモコン受信部４４より番組ガイドの表示を終了する指示が入力され、セレクタ５４をアナログ復調部４１から入力されるアナログ映像・音声信号を出力するように切り替え、モニタ５上に受信した放送の映像・音声を出力する。
【０１１８】
また、リモコン４５で所定の番組にカーソルを合わせて選択した場合、リモコン受信部４４より該番組の番組説明を表示する指示が入力され、ＥＰＧデータから番組説明を表示するために必要なデータを抽出してＥＰＧ再生部５３に出力する（ステップＳ１５０４）。すると、モニタ５上に図１７に示すような番組説明が表示される。
【０１１９】
図１７にモニタ５上に表示される番組説明の表示例を示す。
【０１２０】
図示するとおり、番組説明１７０には、チャンネル／放送局名１７０１、番組タイトル／開始・終了時刻１７０２、番組の内容１７０３が表示される。これらの情報は、ＥＰＧデータの選択された番組のＰｒｏｇｒａｍ  Ｄａｔａから抽出される。また、この番組の視聴予約をするためのボタン１７０４、および番組ガイドに戻るボタン１７０５が表示される。
【０１２１】
ステップＳ１５０４で番組説明１７０を表示すると、ユーザからの操作待ちとなり（ステップＳ１５０５）、ユーザが番組説明１７０の画面で、リモコン４５で戻るボタン１７０５にカーソルを合わせて選択すると、リモコン受信部４４から再び番組ガイドを表示する指示が入力され、ステップＳ１５０２に戻って番組ガイド１６０を表示する。
【０１２２】
また、リモコン４５で視聴予約のボタン１７０４にカーソルを合わせて選択すると、リモコン受信部４４からその旨入力され、その番組の視聴予約を設定する（ステップＳ１５０６）。視聴予約の設定では、設定された番組のチャンネルおよび開始時刻、終了時刻をＲＡＭ５０上に記憶する。なお記憶した開始時刻が到来すると、ＣＰＵ４８は指定されたチャンネルを選局するようにチューナ４１を設定する。
【０１２３】
視聴予約の設定を行った後、設定された番組のＰｒｏｇｒａｍ  ＤａｔａにＣｏｎｔｅｎｔ  Ｉｎｆｏが含まれているか否かを判別する（ステップＳ１５０７）。
【０１２４】
Ｃｏｎｔｅｎｔ  Ｉｎｆｏが含まれていない場合には、特に番組に関連したコンテンツはないため、そのままステップＳ１５０２に戻って再び番組ガイド１６０を表示する。
【０１２５】
Ｃｏｎｔｅｎｔ  Ｉｎｆｏが含まれている場合は、このＣｏｎｔｅｎｔ  Ｉｎｆｏをプリンタコントローラ６に送信して、プリンタコントローラ６に対して予めこの番組に関連するコンテンツを取得するように指示する（ステップＳ１５０８）。
【０１２６】
プリンタコントローラ６にＣｏｎｔｅｎｔ  Ｉｎｆｏを送信した後、ステップＳ１５０２に戻って再び番組ガイド１６０を表示する。
【０１２７】
受信装置４における以上の処理により、モニタ５上に番組ガイドを表示したり、ユーザが番組ガイドを参照して視聴予約をしたり、また視聴予約した番組のＥＰＧデータにコンテンツ情報が含まれている場合には、そのコンテンツ情報をプリンタコントローラ６に送信して、予めコンテンツを取得するように指示する。
【０１２８】
（プリンタコントローラの構成）
次に第２の実施形態におけるプリンタコントローラの構成について説明する。
【０１２９】
なお、プリンタコントローラのハード構成は、第１の実施形態における構成と同じであるため説明を割愛する。
【０１３０】
図１２は、第２の実施形態におけるプリンタコントローラ６の機能構成を示すブロック図である（第１の実施形態のプリンタコントローラと同じブロックは同じ符号で記す）。
【０１３１】
データ判別部６０７は、受信装置４から入力したデータが、コンテンツの取得を指示するデータであるか、コンテンツの印刷を指示するデータであるかを判別する。
【０１３２】
コンテンツ取得手段６０２は、データ判別部６０７から入力されるコンテンツ情報をもとに、インターネット上のコンテンツサーバにアクセスしコンテンツ６０３を取得する。取得したコンテンツ６０３は、ハードディスク７に記憶する。また、コンテンツ管理テーブル６０４の情報を更新する。
【０１３３】
印刷指示情報解析部６０５は、データ判別部６０７から入力される印刷指示情報をもとにコンテンツ管理テーブル６０４を参照し、印刷指示情報で示されるコンテンツをハードディスク７に記憶しているか否かを判別する。また、記憶している場合には、該コンテンツを印刷するように印刷処理部６０６に指示する。
【０１３４】
印刷処理部６０６は、印刷指示情報解析部６０５の指示に基づき、ハードディスク７に記憶しているコンテンツをビットマップ画像に展開し、プリンタ部８に出力して印刷を行う。
【０１３５】
第１の実施形態では、コンテンツ情報の供給を、プリンタコントローラ６に接続するパネルからユーザが入力する構成としたが、本実施形態においては、上述の受信装置４における視聴予約の際に、ＥＰＧデータにコンテンツ情報が含まれている場合には、受信装置４からプリンタコントローラ６にコンテンツ情報を供給する構成としている。
【０１３６】
（コンテンツ取得処理）
図１８は、第２の実施形態におけるプリンタコントローラ６の処理の流れを示したフローチャートである。
【０１３７】
プリンタコントローラ６は、まず、受信装置４からデータが入力されるのを待機する（ステップＳ１８０１）。
【０１３８】
データが入力されると、データ判別部６０７において、データがコンテンツの取得を指示する内容であるか、コンテンツの印刷を指示する内容であるかを判別する（ステップＳ１８０２）。
【０１３９】
データがコンテンツ取得指示である場合には、データ判別部６０７は、受信装置４から入力したデータに含まれるコンテンツ情報（Ｃｏｎｔｅｎｔ  Ｉｎｆｏ）をコンテンツ取得手段に出力する（ステップＳ１８０３）。
【０１４０】
コンテンツ取得手段６０２は、Ｃｏｎｔｅｎｔ  Ｉｎｆｏを入力するとコンテンツ取得処理を行い（ステップＳ１８０４）、コンテンツ取得処理を終えると再びメインルーチンのステップＳ１８０１に戻って、受信装置４からデータが入力されるのを待機する。
【０１４１】
ステップＳ１８０２で、データがコンテンツ印刷指示である場合には、データ判別部６０７は、受信装置４から入力したデータに含まれる印刷指示情報（ＣｏｎｔｅｎｔＩＤ）を印刷指示情報解析部６０５に出力する（ステップＳ１８０５）。
印刷指示情報解析部６０５は、印刷指示情報を入力すると、コンテンツ印刷処理を行い（ステップＳ１８０６）、コンテンツ印刷処理を終えると再びメインルーチンのステップＳ１８０１に戻って、受信装置４からデータが入力されるのを待機する。
【０１４２】
図１９は、コンテンツ取得手段６０２におけるコンテンツ取得処理の流れを示すフローチャートである。
【０１４３】
まず、データ判別部６０７から入力されたＣｏｎｔｅｎｔ  Ｉｎｆｏを解析し（ステップＳ１９０１）、Ｃｏｎｔｅｎｔ  Ｉｎｆｏに記載されているＣｏｎｔｅｎｔに基づいてインターネット上のコンテンツサーバ１１にアクセスし、コンテンツを取得する（ステップＳ１９０２）。
【０１４４】
コンテンツを取得すると、取得したコンテンツをハードディスク７に格納するとともに、コンテンツ管理テーブル６０４の情報を更新する（ステップＳ１９０３）。
【０１４５】
続いて全てのコンテンツを取得したか否かを判別し（ステップＳ１９０４）、まだ取得すべきコンテンツがある場合には、再びステップＳ１９０２に戻って該コンテンツを取得する。全てのコンテンツを取得し終えると一連の処理を終え、メインルーチンに戻る。
【０１４６】
なお、コンテンツ印刷処理については、第１の実施形態と同様であるため、説明を割愛する。
【０１４７】
第１の実施形態におけるコンテンツ取得処理では、パネルから供給されるコンテンツ情報はコンテンツ・インデックス・ファイルのアドレスであったので、まず、コンテンツサーバからコンテンツ・インデックス・ファイルを取得してから実際のコンテンツを取得するという手順であったが、本実施形態では、受信装置４から供給されるコンテンツ情報はＣｏｎｔｅｎｔ  Ｉｎｆｏで、Ｃｏｎｔｅｎｔ  Ｉｎｆｏには既に取得すべきコンテンツのアドレスが記されているので、これを解析することにより、コンテンツサーバから直接コンテンツを取得することができる。
【０１４８】
（効果）
上述した第２の実施形態によれば、ＥＰＧにコンテンツ情報を含ませて送信し、受信装置においてＥＰＧを使って視聴予約が行われた際に、プリンタコントローラにコンテンツ情報を供給する構成としたので、ユーザが手動でコンテンツ情報を入力する必要がなく、さらに利便性の高い装置を提供することができる。
【０１４９】
［第３の実施形態］
第１、第２の実施形態では、何れも予め取得したコンテンツを、受信装置から印刷指示が供給された時点でビットマップ画像に展開する構成とした。しかし、コンテンツが展開に時間がかかるようなデータであった場合、放送に同期して次々にコンテンツを印刷していくことができない。そこで、本実施形態では、取得したコンテンツを予めビットマップ画像に展開して記憶しておくことにより、受信装置から印刷指示が供給された時点では、展開済みのコンテンツ画像をプリンタに出力する構成をとる。
【０１５０】
（プリントコントローラの構成）
プリンタコントローラのハード構成は、第１、第２の実施形態における構成と同じであるため説明を割愛する。
【０１５１】
図２０は、第３の実施形態におけるプリンタコントローラの機能構成を示すブロック図である（第１、第２の実施形態のプリンタコントローラと同じブロックは同じ符号で記す）。
【０１５２】
データ判別部６０７は、受信装置４から入力したデータが、コンテンツの取得を指示するデータであるか、コンテンツの印刷を指示するデータであるかを判別する。
【０１５３】
コンテンツ取得手段６０２は、データ判別部６０７から入力されるコンテンツ情報をもとに、インターネット上のコンテンツサーバにアクセスしコンテンツデータを取得する。取得したコンテンツデータは、バッファメモリ６３上に記憶する。また、コンテンツ管理テーブル６１０の情報を更新する。
【０１５４】
印刷指示情報解析部６０５は、データ判別部６０７から入力される印刷指示情報をもとにコンテンツ管理テーブル６１０を参照し、印刷指示情報で示されるコンテンツのコンテンツ画像６０９をハードディスク７に記憶しているか否かを判別する。また、記憶している場合には、該コンテンツ画像６０９を印刷するように印刷処理部６０６に指示する。
【０１５５】
印刷処理部６０６は、印刷指示情報解析部６０５の指示に基づき、ハードディスク７に記憶しているコンテンツ画像６０９をプリンタ部８に出力して印刷を行う。
【０１５６】
コンテンツ展開部６０８は、定期的にコンテンツ管理テーブル６１０を参照し、まだビットマップ画像に展開していないコンテンツデータがある場合には、該コンテンツデータをバッファメモリ６３から読み出しビットマップ画像に展開する。展開したコンテンツ画像は、ハードディスク７上に記憶する。また、コンテンツ管理テーブル６１０の情報を更新する。
【０１５７】
ここで、第３の実施形態において用いるコンテンツ管理テーブル６１０について説明する。
【０１５８】
図２１に第３の実施形態におけるコンテンツ管理テーブル６１０の例を示す。
【０１５９】
コンテンツ管理テーブル６１０は、取得したコンテンツを管理するためのテーブルで、コンテンツの識別番号（ＣｏｎｔｅｎｔＩＤ）、コンテンツのファイル名（Ｃｏｎｔｅｎｔ）、コンテンツデータのバッファメモリ６３上の格納先アドレス（Ａｄｄｒｅｓｓ１）、コンテンツがビットマップ画像に展開済みであるかどうかを示すフラグ（Ｆｌａｇ）（ＦｌａｇがＯＮの場合はまだ展開していない、ＯＦＦの場合は展開済みであることを示す）、および、コンテンツ画像のハードディスク７上の格納先のアドレス（Ａｄｄｒｅｓｓ２）からなる。
【０１６０】
図２１の例では、Ｃ１００１のコンテンツのみがビットマップ画像に展開済みで、Ｃ１００２、Ｃ１００３のコンテンツはまだビットマップ画像に展開されていないことを示す。
【０１６１】
（コンテンツ取得処理）
次に、第３の実施形態におけるコンテンツ取得処理について説明する。なお、受信装置４からデータを入力してコンテンツ取得処理が起動されるまでの処理は、第２の実施形態の図１８のフローチャートと同様であるため説明を割愛する。
【０１６２】
図２２は、第３の実施形態におけるプリンタコントローラ６のコンテンツ取得処理を示すフローチャートである。
【０１６３】
まず、データ判別部６０７から入力されたＣｏｎｔｅｎｔ  Ｉｎｆｏを解析し（ステップＳ２２０１）、Ｃｏｎｔｅｎｔ  Ｉｎｆｏに記載されているＣｏｎｔｅｎｔに基づいてインターネット上のコンテンツサーバ１１にアクセスし、コンテンツを取得する（ステップＳ１９０２）。
【０１６４】
コンテンツを取得すると、取得したコンテンツをバッファメモリ６３に格納するとともに、コンテンツ管理テーブル６１０の情報を更新する（ステップＳ２２０３）。具体的には、ＣｏｎｔｅｎｔＩＤに取得したコンテンツのＩＤを、Ｃｏｎｔｅｎｔに取得したコンテンツのファイル名を、Ａｄｄｒｅｓｓ１に取得したコンテンツのバッファメモリ６３上の格納先アドレスを、ＦｌａｇにＯＮ（まだ展開していないことを示す）をセットする。
【０１６５】
続いて全てのコンテンツを取得したか否かを判別し（ステップＳ２２０４）、まだ取得すべきコンテンツがある場合には、再びステップＳ２２０２に戻って該コンテンツを取得する。全てのコンテンツを取得し終えると一連の処理を終え、メインルーチン（図１８のステップＳ１８０１）に戻る。
【０１６６】
（コンテンツ展開処理）
次に、第３の実施形態におけるコンテンツ展開処理について説明する。
【０１６７】
コンテンツ展開処理は、プリンタコントローラ６のコンテンツ展開部６０８で定期的に起動されて行われる。
【０１６８】
図２３に、コンテンツ展開処理のフローチャートを示す。
【０１６９】
コンテンツ展開部６０８は、まずコンテンツ管理テーブル６１０を参照する（ステップＳ２３０１）。
【０１７０】
コンテンツ管理テーブル６１０にコンテンツがあるか否かを判別し（ステップＳ２３０２）、コンテンツが一つもない場合には直ちに処理を終える。
【０１７１】
コンテンツがある場合には、コンテンツ管理テーブル６１０を上から順に参照し、ＦｌａｇがＯＮ、すなわちそのコンテンツがまだビットマップ画像に展開されていないかどうかを判別する（ステップＳ２３０３）。
【０１７２】
ＦｌａｇがＯＮである場合は、該コンテンツのバッファメモリ６３上の格納先アドレスＡｄｄｒｅｓｓ１を参照してバッファメモリ６３からコンテンツデータを読み出し、ビットマップ画像に展開する（ステップＳ２３０４）。
【０１７３】
続いて、展開したコンテンツ画像をハードディスク７上に格納し、バッファメモリ６３上の読み出したコンテンツデータを削除し、コンテンツ管理テーブル６１０を更新する（ステップＳ２３０５）。
【０１７４】
コンテンツ管理テーブル６１０の更新を具体的に説明すると、Ａｄｄｒｅｓｓ１のアドレスを削除し、ＦｌａｇにＯＦＦ（展開済みを示す）をセットし、Ａｄｄｒｅｓｓ２に展開したコンテンツ画像のハードディスク７上の格納先アドレスをセットする。
【０１７５】
１つのコンテンツの展開処理を終えると、若しくは、ステップＳ２３０３で該コンテンツが展開済みであった場合、コンテンツ管理テーブル６１０に次のコンテンツがあるか否かを判別し（ステップＳ２３０６）、次のコンテンツがある場合には、再びステップＳ２３０３に戻って、コンテンツが展開済みであるか否かを判別する。次のコンテンツがない場合には一連の処理を終える。
【０１７６】
（効果）
上述した第３の実施形態によれば、取得したコンテンツを予めビットマップ画像に展開して記憶しておくので、放送を受信してコンテンツの印刷指示がなされた時点では、展開済みのコンテンツ画像を印刷するだけで済み、コンテンツを展開するための時間は一切かからず、より放送に同期した速やかなコンテンツの印刷を実現することができる。
【０１７７】
【発明の効果】
以上説明したように、請求項１の発明によれば、放送に同期して印刷するコンテンツを予めインターネット上のコンテンツサーバから取得して記憶しておき、放送受信時に、放送信号に含まれる所定の情報にしたがって記憶しているコンテンツを印刷する。したがって、放送信号に印刷するコンテンツ自体を重畳して送信する必要はなく、放送信号に重畳可能なコンテンツのデータサイズに捉われることなく、放送に同期してコンテンツを印刷することができる。
【０１７８】
請求項５の発明によれば、ＥＰＧを使った視聴予約に連動して、該番組に関連する一連のコンテンツを取得するので、より利便性の高い装置を提供することができる。
【０１７９】
請求項６の発明によれば、コンテンツがＰＤＬデータである場合に、取得したコンテンツを予めビットマップ画像に展開して記憶しておくので、放送を受信してコンテンツを印刷する際には、既に展開済みのコンテンツ画像を印刷するだけで済み、コンテンツを展開するための時間は一切かからず、より放送に同期した速やかなコンテンツの印刷を実現することができる。
【図面の簡単な説明】
【図１】本発明のシステム全体の一例を示す図である。
【図２】第１の実施形態における受信装置のハード構成を示すブロック図である。
【図３】第１の実施形態におけるプリンタコントローラのハード構成を示すブロック図である。
【図４】第１の実施形態におけるプリンタコントローラの機能構成を示すブロック図である。
【図５】第１の実施形態におけるコンテンツ情報の一例を示す。
【図６】第１の実施形態におけるコンテンツ・インデックス・ファイルの一例を示す図である。
【図７】第１の実施形態におけるコンテンツ管理テーブルの一例を示す図である。
【図８】第１の実施形態においてコンテンツ印刷時の処理を説明するための図である。
【図９】第１の実施形態におけるコンテンツ取得処理時のフローチャートを示す。
【図１０】第１の実施形態におけるコンテンツ印刷処理時のフローチャートを示す。
【図１１】第２の実施形態における受信装置のハード構成を示すブロック図である。
【図１２】第２の実施形態におけるプリンタコントローラの機能構成を示すブロック図である。
【図１３】第２の実施形態におけるＥＰＧデータの一例を示す図である。
【図１４】第２の実施形態におけるコンテンツ情報の一例を示す図である。
【図１５】第２の実施形態におけるＥＰＧの表示と視聴予約処理を示すフローチャートである。
【図１６】第２の実施形態における番組ガイドの表示例を示す図である。
【図１７】第２の実施形態における番組説明の表示例を示す図である。
【図１８】第２の実施形態におけるプリンタコントローラの処理を示すフローチャートである。
【図１９】第２の実施形態におけるコンテンツ取得処理時のフローチャートを示す。
【図２０】第３の実施形態におけるプリントコントローラの機能構成を示すブロック図である。
【図２１】第３の実施形態におけるコンテンツ管理テーブルの一例を示す図である。
【図２２】第３の実施形態におけるコンテンツ取得処理を示すフローチャートである。
【図２３】第３の実施形態におけるコンテンツ展開処理を示すフローチャートである。
【符号の説明】
１  放送局
２  放送信号
３  アンテナ
４  受信装置
５  モニタ
６  プリンタコントローラ
７  記憶装置
８  プリンタ
９  用紙
１０  インターネット
１１  コンテンツサーバ
４１  アナログ復調部
４２  チューナ
４３  データ検出部
４４  リモコン受信部
４５  リモコン
４６  プリンタコントローラ・インターフェース部
４７  映像音声出力部
４８、６７  ＣＰＵ
４９、６８  ＲＯＭ
５０、６９  ＲＡＭ
５１、７０  ＣＰＵバス
５２  データバッファ
５３  ＥＰＧ再生部
５４  セレクタ
６１  受信装置インターフェース部
６２  ネットワーク・インターフェース部
６３  バッファメモリ
６４  プリンタ・インターフェース部
６５  パネル・インターフェース部
６６  パネル
６０１  コンテンツ情報設定部
６０２  コンテンツ取得部
６０３  コンテンツ
６０４、６１０  コンテンツ管理テーブル
６０５  印刷指示情報解析部
６０６  印刷処理部
６０７  データ判別部
６０８  コンテンツ展開部
６０９  コンテンツ画像
【図１】
2004336463.tif 000003
【図２】
2004336463.tif 000004
【図３】
2004336463.tif 000005
【図４】
2004336463.tif 000006
【図５】
2004336463.tif 000007
【図６】
2004336463.tif 000008
【図７】
2004336463.tif 000009
【図８】
2004336463.tif 000010
【図９】
2004336463.tif 000011
【図１０】
2004336463.tif 000012
【図１１】
2004336463.tif 000013
【図１２】
2004336463.tif 000014
【図１３】
2004336463.tif 000015
【図１４】
2004336463.tif 000016
【図１５】
2004336463.tif 000017
【図１６】
2004336463.tif 000018
【図１７】
2004336463.tif 000019
【図１８】
2004336463.tif 000020
【図１９】
2004336463.tif 000021
【図２０】
2004336463.tif 000022
【図２１】
2004336463.tif 000023
【図２２】
2004336463.tif 000024
【図２３】
2004336463.tif 000025